(57)【特許請求の範囲】
【請求項１】
回路基板を収納する有底の基体と、回路基板の検査に必要な開口部を持つ中蓋と、少なくとも中蓋の開口部を覆う上蓋とからなるパチンコ機の基板収納ボックスにおいて、
基体の長手方向の両側面には上蓋の両側壁を挿入できる間隙を設けて、この間隙内に突起を形成するとともに、上蓋の両側壁の下端にはＬ字状の係止部を設けて、上蓋の基体に対する摺動動作により突起と係止部とを噛み合わせて上蓋の上方への離脱を阻止するとともに、
中蓋には、バネにより上方に弾発される錠止部材を設け、上蓋にはこの錠止部材が嵌合される凹部を設けて、上蓋が中蓋の開口部を覆う位置まで摺動したときにバネの弾発により錠止部材を凹部に嵌め込んで、上蓋の逆方向への摺動を阻止するようにしたことを特徴とするパチンコ機の基板収納ボックス。
【請求項２】
基体と回路基板と中蓋を、結合手段で結合した請求項１に記載のパチンコ機の基板収納ボックス。
【請求項３】
基体と回路基板と中蓋を、互いに関係位置を保つ位置決め部材で位置規制した請求項１に記載のパチンコ機の基板収納ボックス。
【請求項４】
中蓋と上蓋間に、上蓋の摺動動作により噛み合って上蓋の上方への離脱を阻止するための、舌片を有する係合部を設けた請求項１に記載のパチンコ機の基板収納ボックス。
【請求項５】
回路基板を結合手段で結合した状態で収納する有底の基体と、基体に対し互いに関係位置を保つ位置決め部材で位置規制された開口部のない中蓋と、中蓋を覆う上蓋とからなるパチンコ機の基板収納ボックスにおいて、
基体の長手方向の両側面には上蓋の両側壁を挿入できる間隙を設けて、この間隙内に突起を形成するとともに、上蓋の両側壁の下端にはＬ字状の係止部を設けて、上蓋の基体に対する摺動動作により突起と係止部とを噛み合わせて上蓋の上方への離脱を阻止するとともに、
中蓋には、バネにより上方に弾発される錠止部材を設け、上蓋にはこの錠止部材が嵌合される凹部を設けて、上蓋が中蓋を覆う位置まで摺動したときにバネの弾発により錠止部材を凹部に嵌め込んで、上蓋の逆方向への摺動を阻止するようにしたことを特徴とするパチンコ機の基板収納ボックス。
【発明の詳細な説明】
【０００１】
【発明の属する技術分野】
本発明は、パチンコ機の基板収納ボックスの改良に関するものである。
【０００２】
【従来の技術】
パチンコ機の入賞率は回路基板に搭載されたＲＯＭに書き込まれているため、夜間等にパチンコホールに侵入し、パチンコ機から回路基板を外して正規のＲＯＭを不正なＲＯＭと交換し、不正な出玉を得る事件が発生している。そこで回路基板を基板収納ボックスに収納して封印し、基板収納ボックスを破壊しなければ回路基板を取り出せないようにする工夫がなされている。
【０００３】
ところが従来の基板収納ボックスは、図１９に示すように回路基板３０を無底の基体３１と蓋３２とにより覆い、これらの基体３１と蓋３２との間に設けた錠止部材３３によって蓋３２が開けないようにした構造のものであった。この基板収納ボックスは基体３１と蓋３２との間に錠止部材３３が設けられているため、蓋３２を不正に開くことはできない。ところがこの構造は、基体３１を盤に固定しているネジ３４を盤の裏面から破壊すると、基体３１が回路基板３０とともに盤から外れてしまい、しかも基板収納ボックスの表面には全く痕跡が残らないため、パチンコホール側でも不正を発見しにくいという問題を残していた。
【０００４】
【発明が解決しようとする課題】
本発明は上記した従来の問題点を解決し、基板収納ボックスを破壊しなければ回路基板を取り出すことができず、しかも盤の裏面からネジを破壊しても回路基板を外すことができないようにした基板収納ボックスを提供するためになされたものである。
【０００５】
【課題を解決するための手段】
上記の課題を解決するためになされた第１の本発明の基板収納ボックスは、回路基板を収納する有底の基体と、回路基板の検査に必要な開口部を持つ中蓋と、少なくとも中蓋の開口部を覆う上蓋とからなるパチンコ機の基板収納ボックスにおいて、
基体の長手方向の両側面には上蓋の両側壁を挿入できる間隙を設けて、この間隙内に突起を形成するとともに、上蓋の両側壁の下端にはＬ字状の係止部を設けて、上蓋の基体に対する摺動動作により突起と係止部とを噛み合わせて上蓋の上方への離脱を阻止するとともに、
中蓋には、バネにより上方に弾発される錠止部材を設け、上蓋にはこの錠止部材が嵌合される凹部を設けて、上蓋が中蓋の開口部を覆う位置まで摺動したときにバネの弾発により錠止部材を凹部に嵌め込んで、上蓋の逆方向への摺動を阻止するようにしたことを特徴とするものである。
また、第２の発明の基板収納ボックスは、回路基板を結合手段で結合した状態で収納する有底の基体と、基体に対し互いに関係位置を保つ位置決め部材で位置規制された開口部のない中蓋と、中蓋を覆う上蓋とからなるパチンコ機の基板収納ボックスにおいて、
上蓋の両側壁にはその下端から延びるＬ字状の係止部を設け、基体の両側面には、前記係止部と噛み合う突起を設けて、上蓋の基体に対する摺動動作により係止部と突起とを噛み合わせて上蓋の上方への離脱を阻止するとともに、
中蓋には、バネにより上方に弾発される錠止部材を設け、上蓋にはこの錠止部材が嵌合される凹部を設けて、上蓋が中蓋を覆う位置まで摺動したときにバネの弾発により錠止部材を凹部に嵌め込んで、上蓋の逆方向への摺動を阻止するようにしたことを特徴とするものである。
【０００６】
本発明の基板収納ボックスは、有底の基体の内部に回路基板を収納し、基体と上蓋間には上蓋の摺動動作により噛み合って上蓋の離脱を阻止する係止部を設け、また中蓋と上蓋間には開き方向への摺動を阻止する錠止部材を設けたので、上蓋を摺動させて閉じた後は、もはや上蓋を開くことはできず、基体の裏面から回路基板の結合手段を破壊してもやはり上蓋は外せないため、破壊の痕跡を残さずに本発明の基板収納ボックスを開き、不正に回路基板を交換することは不可能である。
【０００７】
【発明の実施の形態】
以下に本発明の好ましい実施の形態を示す。
図１は第１の発明の実施形態を示す斜視図、図２は各部の分解斜視図である。また図３は平面図であり、図４はそのＡ−Ａ断面図、図５はそのＢ−Ｂ断面図、図６はそのＣ−Ｃ断面図、図７はそのＤ−Ｄ断面図、図８はそのＥ−Ｅ断面図である。図４、図５、図７は嵌合工程を示している。
【０００８】
図１、図２に示されるように、本発明の基板収納ボックスは、基体１と中蓋２と上蓋３とから構成されている。基体１は有底で上面のない箱型であり、その内部に回路基板４を収納することができる。この例では回路基板４は、図６に示すようにネジ等の結合手段５により基体１の内部に固定されている。また基体１の長手方向の両側面には上蓋３の両側壁６を挿入できる間隙７が形成されている。なお、基体１は図示しない取付手段により盤に固定されるものである。
【０００９】
中蓋２は四周の側壁に囲まれた下面が開放された形状のもので、第１の発明では上面にも回路基板４の検査に必要な大きさの開口部８を持つ。図２に示すように中蓋２の両側には前記したネジ等の結合手段５を挿入するための凹部９が形成されており、図６に示すように結合手段５により中蓋２を基体１及び回路基板４とともに結合している。
【００１０】
図２、図４等に示されるように、中蓋２の一方の端部１３は上面より一段高くなっている。そしてこの端部１３に隣接する中蓋２の上面には、複数個の凹部１０が一列に形成され、これらの凹部１０の内の一つに錠止部材１１が挿入されている。錠止部材１１はこの例ではバネ１２により上方に弾発されるピンである。
【００１１】
上蓋３は、図２、図８に示されるように上面と長手方向の両側壁６とからなる逆Ｕ字状の断面を持つ。これらの両側壁６は前記したように基体１の長手方向の両側面に形成された間隙７に挿入されるものである。上蓋３の両側壁６には図７に示されるような下端から延びるＬ字状の係止部１４が形成されている。また基体１の間隙７内には、突起１５が形成されている。そこで図７に示すように上蓋３の両側壁６を基体１の間隙７に嵌め、上蓋３を中蓋２の開口部８を覆う位置まで矢印方向に摺動させると、突起１５とＬ字状の係止部１４とが噛み合って上蓋３の上方への外れを阻止することができる。また上蓋３を矢印方向に摺動させると中蓋２の端部１３とぶつかるため、上蓋３は逆方向に摺動させない限り開くことができない。
【００１２】
上蓋３の上面の一端には膨出部１７が形成されており、この膨出部１７の裏面には前記した中蓋２の錠止部材１１を嵌合させるための凹部１８が複数個形成されている。またこれらの凹部１８の上面は容易に切断して取り除けるカット部１９となっている。そこで図４に示すように上蓋３の端部下面で錠止部材１１を押し下げながら、前記したように上蓋３の両側壁６を基体１の間隙７に嵌め、上蓋３を矢印方向に摺動させると、上蓋３の凹部１８が中蓋２の錠止部材１１と一致したときにバネ１２により錠止部材１１が上方に弾発されて凹部１８に嵌まり、上蓋３を逆方向に摺動させることができなくなる。
【００１３】
なお図２〜図５に示されるように、中蓋２と上蓋３間にも上蓋３の摺動動作により噛み合って上蓋３の離脱を阻止する係合部を設けておくことが好ましい。この実施形態では、３種類の係合部が設けられている。図２、図３、図５に示される係合部２１、２２は上蓋３の裏面に突設された舌片であり、図２、図３、図４に示される係合部２３は上蓋３の端部に突設された舌片である。係合部２１、２２は上蓋３の摺動動作により図５に示すように中蓋２の被係合部２４、２５の下面に差し込まれ、係合部２３は図４に示すように中蓋２の端部１３の下面に差し込まれるようになっている。このため、上蓋３を中蓋２に対して摺動させれば、上蓋３をそのまま上方に離脱させることはできなくなる。ただし係合部の数及び配置は必ずしもこの実施形態に限定されるものではなく、上蓋３の摺動動作により中蓋２と噛み合って上蓋３の離脱を阻止することができるものであればよい。
【００１４】
このように構成された第１の発明の基板収納ボックスは、上記したように上蓋３を摺動させて基体１に嵌め、上蓋３の凹部１８に中蓋２の錠止部材１１を係合させれば、もはや上蓋３を開くことができなくなる。この状態では中蓋２の開口部８は上蓋３により完全に覆われており、回路基板４は図６に示すようにその端部の外部接続端子２０のみが露出しているのみである。従ってこの状態では、上蓋３を破壊することなく回路基板４を不正に交換することはできない。また、基体１と回路基板４と中蓋２を固定している結合手段を基体１の裏側から破壊しても、上蓋３は基体１と係止部１４により結合されているため、上蓋３を開くことはできない。
【００１５】
なおパチンコ機については、メーカーから出荷した後に警察による検査が複数回行われることがある。この場合には、上蓋３のカット部１９を破壊し、錠止部材１１を抜き取ったうえで上蓋３を閉じたときとは逆方向に摺動させ、中蓋２の開口部８から回路基板４の検査を行えばよい。その後、抜き取った錠止部材１１を中蓋２の他の凹部１０に入れ、前記と同様に上蓋３を閉じれば、回路基板４は再び基板収納ボックス内に封入される。
【００１６】
図９は第１の発明における基体１と中蓋２と回路基板４との結合方法の変形例（請求項２に相当）を示す図である。この例では、図８の結合手段５としてのネジのかわりに、基体１と中蓋２と回路基板４との互いの関係位置を保つ位置決め部材５ａとフック５ｂとが用いられている。この例では基体１に回路基板４を収納したうえで中蓋２を被せると、基体１のフック５ｂが中蓋２と係合し、図８のネジと同様基体１と中蓋２と回路基板４とを固定する。また図１０のように、位置決め部材５ａを中蓋２側に設けてもよい。
【００１７】
図１１、図１２、図１３は、図９や図１０における結合手段５としてのフック５ｂを省き、基体１と中蓋２と回路基板４との互いの関係位置を保つ位置決め部材５ａのみを残した変形例（請求項３に相当）を示す図である。このように中蓋２を結合手段５で固定しなくても、上蓋３が開かれない限りは回路基板４を取り外すことはできない。
【００１８】
図１４、図１５、図１６は、請求項５に記載の第２の発明の実施形態を示す。この第２の発明では、回路基板４は結合手段５としてのフック５ｂにより基体１に結合された状態にあり、かつ基体１と中蓋２と回路基板４との互いの関係位置を保つ位置決め部材５ａが設けられている。また図示されていないが、この第２の発明では中蓋２に開口部８が設けられていない点が第１の発明とは異なる。その他の機構は第１の発明と同様である。
【００１９】
この第２の発明でも、第１の発明と同様に回路基板４は上蓋３が開かれない限りは取り出すことはできないが、中蓋２に開口部８が設けられていないため、上蓋３を開いた後に中蓋２を上方に引き抜き回路基板４の検査等を行うようになっている。この点が相違するのみであり、その他の点は第１の発明と同様である。
【００２０】
上記した各実施形態においては、基体１の長手方向の両側面にスリット状の間隙７を形成して上蓋３の両側壁６を挿入したのであるが、図１７や図１８に示すようにこの間隙７の形状を変更してもよい。これらの例では基体１の長手方向の両側面に内側に突起１５を備えた間隙７を形成し、上蓋３の両側壁６に形成された係止部１４にこの突起１５を嵌合させることにより、上蓋３を上方へ開けないようにしてある。なお、図１７は図８の変形例であり、図１８は図１２の変形例である。
【００２１】
【発明の効果】
以上に説明したように、本発明の基板収納ボックスは、上蓋を閉じた後は破壊の痕跡を残さずに開くことはできず、不正に回路基板を交換することは不可能である。また本発明の基板収納ボックスは、有底の基体の裏面から回路基板の結合手段を破壊しても、回路基板を取り出すことができない利点がある。
【図面の簡単な説明】
【図１】第１の発明の実施形態を示す斜視図である。
【図２  】各部の分解斜視図である。
【図３】平面図である。
【図４】図３のＡ−Ａ断面図である。
【図５】図３のＢ−Ｂ断面図である。
【図６】図３のＣ−Ｃ断面図である。
【図７】図３のＤ−Ｄ断面図である。
【図８】図３のＥ−Ｅ断面図である。
【図９】請求項２の発明を示す断面図である。
【図１０】請求項２の発明の変形例を示す断面図である。
【図１１】請求項２の発明の変形例を示す断面図である。
【図１２】請求項３の発明を示す断面図である。
【図１３】請求項３の発明の変形例を示す断面図である。
【図１４】請求項５に記載の第２の発明の実施形態を示す断面図である。
【図１５】請求項５の発明の変形例を示す断面図である。
【図１６】請求項５の発明の変形例を示す断面図である。
【図１７】上蓋と基体との係止部の変形例を示す断面図である。
【図１８】上蓋と基体との係止部の変形例を示す断面図である。
【図１９】従来例を示す断面図である。
【符号の説明】
１  基体
２  中蓋
３  上蓋
４  回路基板
５  結合手段
５ａ  位置決め部材
５ｂ  フック
６  両側壁
７  間隙
８  開口部
９  凹部
１０  凹部
１１  錠止部材
１２  バネ
１３  端部
１４  係止部
１５  突起
１７  膨出部
１８  凹部
１９  カット部
２０  外部接続端子
２１  係合部
２２  係合部
２３  係合部
２４  被係合部
２５  被係合部
【図１】
0004070163.tif 000002
【図２】
0004070163.tif 000003
【図３】
0004070163.tif 000004
【図４】
0004070163.tif 000005
【図５】
0004070163.tif 000006
【図６】
0004070163.tif 000007
【図７】
0004070163.tif 000008
【図８】
0004070163.tif 000009
【図９】
0004070163.tif 000010
【図１０】
0004070163.tif 000011
【図１１】
0004070163.tif 000012
【図１２】
0004070163.tif 000013
【図１３】
0004070163.tif 000014
【図１４】
0004070163.tif 000015
【図１５】
0004070163.tif 000016
【図１６】
0004070163.tif 000017
【図１７】
0004070163.tif 000018
【図１８】
0004070163.tif 000019
【図１９】
0004070163.tif 000020